(57)【要約】      （修正有）【課題】高ピーク負荷特性を備える装置に用いる電源変換回路を提供する。【解決手段】電源変換回路１０は、外部電源２０とピーク電流負荷特性を備える装置３０との間に接続され、電源変換回路は、昇圧回路１１、制御回路１２及びエネルギー蓄積素子を含む。昇圧回路の入力端は、外部電源に接続され、且つ昇圧回路の出力端は、該ピーク電流負荷特性を備える装置に電気接続される。制御回路は、該昇圧回路と並列され、該制御回路は、第１電圧所定値及び電流所定値を有する。該外部電源の出力電流が該電流所定値よりも大きいか、該外部電源の出力電圧が該電圧所定値よりも小さい時、該制御回路は、該昇圧回路の出力電圧を該エネルギー蓄積素子の出力電圧より小さくなるまで降下させる。【選択図】図１Ａ
2016021857.tif 000002
【特許請求の範囲】
【請求項１】
外部電源と少なくとも１つのピーク電流負荷特性を備える装置との間に接続される電源変換回路であって、該電源変換回路は、
昇圧回路であり、該昇圧回路の入力端が該外部電源に電気接続され、且つ該昇圧回路の出力端が該ピーク電流負荷特性を備える装置に電気接続される昇圧回路と、
制御回路であり、該制御回路が該昇圧回路と並列され、該制御回路は、該外部電源の出力電圧をセンシングすることに適用され、該制御回路中に第１電圧所定値と電流所定値を有する制御回路と、
充電回路であり、該充電回路の入力端が該昇圧回路の出力端に接続される充電回路と、 
放電回路であり、且つ該放電回路の出力端が該ピーク電流負荷特性を備える装置に電気接続される放電回路と、
エネルギー蓄積素子であり、該エネルギー蓄積素子の出力端が該放電回路の入力端及び該充電回路の出力端に接続されるエネルギー蓄積素子と、
を含み、そのうち、該外部電源の出力電流が該電流所定値よりも大きいか、該外部電源の出力電圧が該第１電圧所定値よりも小さい時、該制御回路が該昇圧回路の出力電圧を該エネルギー蓄積素子の出力電圧より小さくなるまで降下させる電源変換回路。
【請求項２】
更に、第１スイッチング素子を含み、該第１スイッチング素子の入力端は、該外部電源に接続され、且つ該第１スイッチング素子は、該放電回路の該入力端及び該充電回路の該出力端に接続され、そのうち、該外部電源の出力電圧が０である時、該第１スイッチング素子がオフを呈し、該外部電源が電圧を電源変換回路に入力する時、該第１スイッチング素子がオンを呈する請求項１に記載の電源変換回路。
【請求項３】
更に、少なくとも１つのスイッチング回路モジュールを含み、該スイッチング回路モジュールは、第２スイッチング素子と監視回路を含み、そのうち、該第２スイッチング素子は、該昇圧回路と該ピーク電流負荷特性を備える装置との間に電気接続され、且つ該監視回路は、該昇圧回路與と第２スイッチング素子との間に電気接続され、該昇圧回路の出力電圧が第２電圧所定値を超える時、該第２スイッチング素子がオンを呈する請求項１に記載の電源変換回路。
【請求項４】
前記監視回路は、所定時間を設定し、該電源変換回路は、外部電源の電源供給を受けた後に該所定時間を経て、該第２スイッチング素子をオンにする請求項３に記載の電源変換回路。
【請求項５】
外部電源と少なくとも１つのピーク電流負荷特性を備える装置との間に接続される電源変換回路であって、該電源変換回路は、
昇圧回路であり、該昇圧回路の入力端が該外部電源に電気接続され、且つ該昇圧回路の出力端が該ピーク電流負荷特性を備える装置に電気接続される昇圧回路と、
制御回路であり、該制御回路が該昇圧回路と並列され、該制御回路は、該外部電源の出力電圧をセンシングすることに適用され、該制御回路中に第１電圧所定値と電流所定値を有する制御回路と、
充電回路であり、該充電回路の入力端が該昇圧回路の出力端に接続される充電回路と、 
放電回路であり、且つ該放電回路の出力端が該ピーク電流負荷特性を備える装置に電気接続される放電回路と、
エネルギー蓄積素子であり、該エネルギー蓄積素子の出力端が該放電回路の入力端及び該充電回路の出力端に接続されるエネルギー蓄積素子と、
降圧回路であり、該降圧回路の入力端が該昇圧回路の出力端に接続され、且つ該降圧回路の出力端が該ピーク電流負荷特性を備える装置に接続される降圧回路と、
を含み、そのうち、該外部電源の出力電流が該電流所定値よりも大きいか、該外部電源の出力電圧が該第１電圧所定値よりも小さい時、該制御回路が該昇圧回路の出力電圧を該エネルギー蓄積素子の出力電圧より小さくなるまで降下させる電源変換回路。
【請求項６】
更に、第１スイッチング素子を含み、該第１スイッチング素子の入力端は、該外部電源に接続され、且つ該第１スイッチング素子は、該放電回路の該入力端及び該充電回路の該出力端に接続され、そのうち、該外部電源の出力電圧が０である時、該第１スイッチング素子がオフを呈し、該外部電源が電圧を電源変換回路に入力する時、該第１スイッチング素子がオンを呈する請求項５に記載の電源変換回路。
【請求項７】
更に、少なくとも１つのスイッチング回路モジュールを含み、該スイッチング回路モジュールは、第２スイッチング素子と監視回路を含み、そのうち、該第２スイッチング素子は、該昇圧回路と該ピーク電流負荷特性を備える装置との間に電気接続され、且つ該監視回路は、該昇圧回路與と第２スイッチング素子との間に電気接続され、該昇圧回路の出力電圧が第２電圧所定値を超える時、該第２スイッチング素子がオンを呈する請求項５に記載の電源変換回路。
【請求項８】
前記監視回路は、所定時間を設定し、該電源変換回路は、外部電源の電源供給を受けた後に該所定時間を経て、該第２スイッチング素子をオンにする請求項５に記載の電源変換回路。
【請求項９】
前記放電回路がダイオード又はスイッチを有する放電回路である請求項１又は請求項５に記載の電源変換回路。
【請求項１０】
前記充電回路が定電圧電流充電モードで該エネルギー蓄積素子を充電する請求項１又は請求項５に記載の電源変換回路。
【請求項１１】
更に、電流センサを含み、該電流センサは、該外部電源と該昇圧回路の間に接続され、該電流センサは、該外部電源の出力電流をセンシングすることに適用される請求項１又は請求項５に記載の電源変換回路。
【発明の詳細な説明】
【技術分野】
【０００１】
本発明は、電源変換回路に関し、特に、高ピーク負荷特性を備える装置に用いる電源変換回路に関する。
【背景技術】
【０００２】
ハードディスク（Hard Disk）は、現在の様々なタイプのコンピュータの非常に重要なデータストレージキャリアであり、科学技術の発展に伴ってハードディスクの容量も日増しに高くなっている。ハードディスクは、光ディスクに比較し、大容量であり、且つ伝送に便利であるという利点を有するので、モバイルハードディスクは、現在非常によく見られる装置となっている。
【０００３】
モバイルハードディスク中の３．５インチのハードディスクは、容量が大きく、耐久性が良好であるので、多くの愛用者がいる。しかしながら、３．５インチのハードディスクは、体積が比較的大きく且つ電力を消費し、ＵＳＢコネクタの５Ｖの電圧以外に更に約１２Ｖの電圧を別途入力してモータを起動する必要があり、そうして初めて３．５インチのハードディスクが動作することができる。従って、多くの３．５インチのモバイルハードディスクは、何れも別途電源供給器を携帯して電源を供給する必要があり、使用者の携帯に不便になっている。また、ＵＳＢコネクタが比較的高い電流を出力してモータを駆動する時、ＵＳＢコネクタの出力電圧が低下し、この時、出力電流がモータの駆動に足りているが、出力電圧がモバイルハードディスク中の起動回路を起動するのに不十分である可能性があり、モバイルハードディスクが依然として正常運転できなくなりえる。
【０００４】
上記の問題を解決する為、専利出願第１０１１３５８３７号は、外殻の内部に１つのバッテリを加え、且つバッテリによりハードディスクの起動の瞬間に要するエネルギーを供給するというソリューションを提示している。この方法は、３．５インチのモバイルハードディスクが別途電源供給器を使用する必要がないようにすることができるが、１つの容量及び体積が大きく、内部抵抗が低い特性を備えるバッテリを必要とし、この種のバッテリのコストは比較的高くなっている。
【０００５】
従って、如何に３．５インチのハードディスクにただＵＳＢの５Ｖのみを使用させて別途外付け電源を必要としないようにし、且つ比較的低いコストで起動可能にするかは、当業者が検討すべきことである。
【発明の概要】
【発明が解決しようとする課題】
【０００６】
本発明の目的は、高ピーク電流負荷特性を備える装置に取り付ける電源変換回路であり、該電源変換回路がより大きな入力電源を必要とせずに高ピーク電流負荷特性を備える該装置を起動させる電源変換回路を提供することにある。
【課題を解決するための手段】
【０００７】
上記目的及びその他の目的に基づき、本発明が提供する電源変換回路は、外部電源と少なくとも１つのピーク電流負荷特性を備える装置との間に接続され、電源変換回路は、昇圧回路、制御回路、エネルギー蓄積素子、充電回路、及び放電回路を含む。昇圧回路の入力端は、外部電源に接続され、且つ昇圧回路の出力端は、該ピーク電流負荷特性を備える装置に電気接続される。制御回路は、該昇圧回路と並列され、該制御回路は、該外部電源の出力電圧をセンシングすることに適用され、該制御回路は、第１電圧所定値及び電流所定値を有する。充電回路の入力端は、昇圧回路の出力端に電気接続される。放電回路の出力端は、ピーク電流負荷特性を備える装置に電気接続される。エネルギー蓄積素子の出力端は、放電回路の入力端及び該充電回路の出力端に接続される。そのうち、該外部電源の出力電流が該電流所定値よりも大きいか、該外部電源の出力電圧が該電圧所定値よりも小さい時、該制御回路は、該昇圧回路の出力電圧を該エネルギー蓄積素子の出力電圧より小さくなるまで降下させる。電源変換器が、出力電力を制限する場合、負荷が瞬間的に必要とするエネルギー量の不足は、エネルギー蓄積素子により補充供給される。
【０００８】
上記の電源変換回路は、第１スイッチング素子を更に含み、第１スイッチング素子の入力端は、外部電源に接続される。エネルギー蓄積素子の出力端は、第１スイッチング素子に接続される。充電回路の入力端は、昇圧回路の出力端に接続され、且つ充電回路の出力端は、第１スイッチング素子に接続される。放電回路の入力端は、第１スイッチング素子に接続され、且つ放電回路の出力端は、ピーク電流負荷特性を備える装置に電気接続される。そのうち、外部電源の出力電圧が０である時、第１スイッチング素子は、オフを呈し、外部電源が電源変換回路に電圧を入力する時、第１スイッチング素子がオンを呈する。
【０００９】
上記の電源変換回路は、更に、少なくとも１つのスイッチング回路モジュールを含み、スイッチング回路モジュールは、第２スイッチング素子及び監視回路を含み、そのうち、第２スイッチング素子は、昇圧回路及びピーク電流負荷特性を備える装置の間に電気接続され、且つ監視回路は、昇圧回路と第２スイッチング素子との間を電気接続され、昇圧回路の出力電圧が第２電圧所定値を超える時、第２スイッチング素子がオンを呈する。
【００１０】
上記の電源変換回路は、そのうち、監視回路が所定時間を設定し、電源変換回路が外部電源の電源供給を受けた後に所定時間を経過し、第２スイッチング素子がオンとなる。
【００１１】
本発明が更に提供する電源変換回路は、外部電源と少なくとも１つのピーク電流負荷特性を備える装置との間に接続され、該電源変換回路は、電流センサ、昇圧回路、制御回路、充電回路、放電回路、エネルギー蓄積素子及び降圧回路を含む。電流センサは、外部電源の出力端に接続され、外部電源の出力電流をセンシングすることに適用される。昇圧回路の入力端は、外部電源に接続され、且昇圧回路の出力端は、該ピーク電流負荷特性を備える装置に電気接続される。制御回路は、該電流センサと接続され、該昇圧回路と並列され、該制御回路は、該外部電源の出力電圧をセンシングすることに適用され、該制御回路は、第１電圧所定値及び電流所定値を有する。充電回路の入力端は、昇圧回路の出力端に接続される。放電回路の出力端は、ピーク電流負荷特性を備える装置に電気接続される。エネルギー蓄積素子の出力端は、放電回路の入力端及び該充電回路の出力端に接続される。降圧回路の入力端は、該昇圧回路の出力端に接続され、且つ該降圧回路の出力端は、該ピーク電流負荷特性を備える装置に電気接続される。そのうち、該外部電源の出力電流が該電流所定値より大きいか、該外部電源の出力電圧が該電圧所定値より小さい時、該制御回路は、該昇圧回路の出力電圧を該エネルギー蓄積素子の出力電圧より小さくなるまで降下させる。
【００１２】
上記の電源変換回路は、更に、第１スイッチング素子を含み、該第１スイッチング素子の入力端は、該外部電源に接続され、且つ該第１スイッチング素子は、該放電回路の該入力端及び該充電回路の該出力端に接続され、そのうち、該外部電源の出力電圧が０である時、該第１スイッチング素子がオフを呈し、該外部電源が該電源変換回路に電圧を入力する時、該第１スイッチング素子がオンを呈する。
【００１３】
上記の電源変換回路は、更に、少なくとも１つのスイッチング回路モジュールを含み、該スイッチング回路モジュールは、第２スイッチング素子と監視回路を含み、そのうち、該第２スイッチング素子は、該昇圧回路と該ピーク電流負荷特性を備える装置との間に電気接続され、且つ該監視回路は、該昇圧回路と該第２スイッチング素子との間に電気接続され、該昇圧回路の出力電圧は、第２電圧所定値を有し、該第２スイッチング素子は、オンを呈する。
【００１４】
上記の電源変換回路は、そのうち、該監視回路が更に所定時間を設定することができ、該電源変換回路が該外部電源の電源供給を受けた後、該電源供給後該所定時間を経て、該第２スイッチング素子がオンとなる。
【００１５】
上記の電源変換回路は、更に、電流センサを含み、該電流センサは、該外部電源及び該昇圧回路の間に接続され、該電流センサは、該外部電源の出力電流をセンシングすることに適用される。
【００１６】
上記の電源変換回路は、そのうち、該放電回路がダイオード又はスイッチを有する放電回路である。
【００１７】
上記の電源変換回路は、そのうち、該充電回路が定電圧電流充電モードで該エネルギー蓄積素子を充電する。
【発明の効果】
【００１８】
本発明の電源変換回路は、高ピーク電流負荷特性を備える装置に取り付ける電源変換回路であり、該電源変換回路がより大きな入力電源を必要とせずに高ピーク電流負荷特性を備える該装置を起動させることができる。
【図面の簡単な説明】
【００１９】
【図１Ａ】本発明の電源変換回路の説明図である。
【図１Ｂ】エネルギー補償モジュールの細部構造図である。
【図１Ｃ】開閉回路モジュールの細部構造図である。
【図１Ｄ】電源変換回路を装置制御回路を備えないピーク電流負荷特性を備える装置に応用した説明図である。
【図２】本発明の第２実施例の図である。
【図３Ａ】本発明の第３実施例の図である。
【図３Ｂ】本発明の第４実施例の図である。
【図３Ｃ】本発明の第５実施例の図である。
【図４】本発明の第６実施例の図である。
【発明を実施するための形態】
【００２０】
本考案の上記特徴及び利点を更に分かり易くする為、以下に好適実施例を挙げ、図面に合わせて、詳細を説明する。
【００２１】
図１Ａを参照し、図１Ａが示すのは、本発明の電源変換回路１０の説明図である。電源変換回路１０は、外部電源２０とピーク電流負荷特性を備える装置３０との間に接続される。外部電源２０は、例えば、パソコンのＵＳＢ出力端であり、電圧５Ｖの電源を提供する。一般的に、ＵＳＢ出力端は、１つの標準出力電圧の範囲と出力電流の規定を有するが、ＵＳＢが出力可能な電流は、規定値よりも相当高いが、電流の増加に伴って、出力電圧も低下する。例えば、ＵＳＢ３．０の標準規定は、４．７５Ｖ〜５．２５Ｖ/ ０．９ａであるが、実際のＵＳＢ３．０が提供可能な電流は、０．９Ａを大きく超過し、ピーク電流負荷特性を備える装置３０は、本実施例では、例えば、３．５インチモバイルハードディスクである。従って、ピーク電流負荷特性を備える装置３０は、モータ３１及び装置制御回路３２を有し、モータ３１は、電源変換回路１０と接続し、装置制御回路３２は、外部電源２０と接続し、モータ３１が１２Ｖの入力電圧を受けると同時に、装置制御回路３２も５Ｖの入力電圧を受ける必要があり（即ち、ＵＳＢ出力端から提供される）、そうして初めてピーク電流負荷特性を備える装置３０が起動できる。
【００２２】
電源変換回路１０は、昇圧回路１１、制御回路１２、電流センサ１２１、エネルギー補償モジュール１４を含む。電流センサ１２１は、外部電源２０の出力端に接続され、電流センサ１２１は、外部電源２０の出力電流をセンシングすることに適用される。昇圧回路１１の入力端は、電流センサ１２１に接続され、昇圧回路１１の出力端は、ピーク電流負荷特性を備える装置３０中のモータ３１に接続される。外部電源２０が出力する５Ｖの電圧は、昇圧回路１１を経て１２Ｖ〜１２．６Ｖの間の電圧に昇圧され、モータ３１が必要とする１２Ｖの電圧に対応する。
【００２３】
図１Ｂを参照し、図１Ｂが示すのは、エネルギー補償モジュール１４の細部構造図であり、エネルギー補償モジュール１４は、エネルギー蓄積素子１４１、第１スイッチング素子１４２、放電回路１４３、及び充電回路１４４を設ける。エネルギー蓄積素子１４１は、例えば、リチウム電池又はコンデンサ組の電圧１２．６Ｖを出力可能な電源である。エネルギー蓄積素子１４１は、第１スイッチング素子１４２に接続され、外部電源２０の電圧源が電源変換回路１０に入力される時、第１スイッチング素子１４２は、オン状態を呈し、反対に、外部電源２０の電圧が０である時、第１スイッチング素子１４２は、オフ状態を呈する。従って、外部電源２０が給電していない時、第１スイッチング素子１４２は、オフを呈し、エネルギー蓄積素子１４１が蓄積するエネルギーが回路中に漏電して消耗し尽くされることを回避することができる。
【００２４】
外部電源２０が電圧を電源変換回路１０に入力すると、第１スイッチング素子１４２がオンになり、エネルギー蓄積素子１４１に正常に充放電させることができる。放電回路１４３の入力端は、第１スイッチング素子１４２に接続され、出力端は、昇圧回路１１の出力端に接続される。充電回路１４４の入力端は、昇圧回路１１の出力端に接続され、充電回路１４４の出力端は、第１スイッチング素子１４２に接続される。そのうち、放電回路１４３は、単方向遮断回路であり、昇圧回路１１の出力端電圧は、エネルギー蓄積素子１４１の電圧よりも大きい時、放電回路１４３は、オンとならず、エネルギー蓄積素子１４１は、充電回路１４４によって充電することができ、放電回路１４３の単方向遮断回路は、多種の設計方式があり、例えば、ダイオード（図１Ｂ参照）又はスイッチを有する放電制御回路等である。充電回路１４４は、定電圧定電流充電モードでエネルギー蓄積素子１４１に対して充電し、充電回路１４４は、多種の設計方式があり、例えば、制限抵抗又はリニアレギュレータ等の方式である。前記放電回路１４３及び充電回路１４４の設計方式は、説明例であり、これに制限するものではなく、当業者は、実際の必要に応じて充電回路１４３と充電回路１４４の設計方式を調整することができる。
【００２５】
放電回路１４３及び充電回路１４４をそれぞれ独立した回路に設計する理由は、ただ１つの制限抵抗を充放電回路として採用しただけであれば、エネルギー蓄積素子１４１の充電及び放電の効率は、厳重な制限を受けるからである。例えば、抵抗値が比較的小さい制限抵抗を採用する場合、エネルギー蓄積素子１４１は、迅速に放電できるが、充電速度も速く、エネルギー蓄積素子１４１の寿命に影響を及ぼし、昇圧回路１１の出力電流を増加させ、ピーク電流負荷特性を備える装置３０の動作に提供可能な電流を制限する。比較的大きな制限抵抗を採用し、充電電流の低下を試みる場合、放電電流も低下して電源変換回路１０が提供可能なピーク電流の能力を限縮する。従って、本発明は、放電回路１４３及び充電回路１４４をそれぞれ設計し、エネルギー蓄積素子１４１をピーク電流が必要な瞬間に急速に放電するように設定し、昇圧回路１１の出力電圧を支援し、通常の運転では、ゆっくりと安定した充電を行い、エネルギー蓄積素子１３１の使用寿命を確保できるようにさせる。
【００２６】
電源変換回路１０の部再関係の説明は、以上であり、以下に電源変換回路１０の動作方式を説明する。外部電源２０は、５Ｖの電圧を電源変換回路１０に入力し、それぞれ昇圧回路１１と第１スイッチング素子１４２に入力する。第１スイッチング素子１４２が外部電源２０の出力する５Ｖの電圧を受ける時、オン状態を呈し、エネルギー蓄積素子１４１を放電回路１４３及び充電回路１４４と接続させる。同時に、昇圧回路１１が外部電源の５Ｖの電圧を１２〜１２．６Ｖまで昇圧し、昇圧回路１１の出力端から１２〜１２．６Ｖの電圧を出力する。
【００２７】
制御回路１２は、電流センサ１２１と接続され、昇圧回路１１と並列して設置され、且つ制御回路１２は、電源変換回路１０の入力電流、入力電圧又は昇圧回路１１の出力電流を制御する原理によって昇圧回路１１の出力電圧を制御するものであり、一方で昇圧回路１１が、動作電力が大き過ぎて損傷を受けることがないように保護することができる。制御回路１２は、電流センサ１２１によって外部電源２０の出力電流をセンシングし、且つ制御回路１２は、外部電源２０の出力電圧（即ち、昇圧回路１１の入力電圧）をセンシングすることに適用され、制御回路１２中には、電流所定値と第１電圧所定値を設定する。外部電源２０の出力電流が該電流所定値よりも大きいか、外部電源２０の出力電圧が該第１電圧所定値よりも小さい時、制御回路１２は、昇圧回路１１の出力電圧を下げ、昇圧回路１１の出力電圧をエネルギー蓄積素子１４１の出力電圧より小さくなるまで降下させる。上記の電源変換回路１０の入力電流、入力電圧又は昇圧回路１１の出力電流を制限する設計原理によってより多くの異なる組み合わせに拡張することができ、例えば、電源変換回路１０の入力電流及び入力電圧を同時にセンシングし、制限を行うか、ただ出力電流のみを制限する方法を採用することができ、当業者は、実際の要求に応じて入力電力を制限する組み合わせ方式を調整することができる。
【００２８】
幾つかの実施例においては、ピーク電流負荷特性を備える装置３０のモータ３１が起動の瞬間に必要な電流が比較的大きく、電源変換回路１０の出力電流も応じて高くなり、ＵＳＢ端からの入力電圧（即ち、外部電源２０の出力電圧）は、電流の増加によって徐々に低下し、外部電源２０の出力電源がピーク電流負荷特性を備える装置３０の装置制御回路３２を駆動するのに不十分である場合、モータ３１が回転できるにもかかわらず、ピーク電流負荷特性を備える装置３０は、依然としてＵＳＢ端から入力電圧が過度に低いことにより、装置制御回路３２が駆動できなくなり、ピーク電流負荷特性を備える装置３０は、正常動作することができない。外部電源２０の出力電圧が第１電圧所定値よりも低くなるか、外部電源の出力電流が電流所定値よりも大きくなる時、制御回路１２は、即座に昇圧回路１１の出力電圧を急速低下させ、これにより、電源変換回路１０の出力電力が一定範囲内に制限され、電源変換回路１０の入力電圧が該第１電圧所定値より低くならないか、電源変換回路１０の入力電流が該電流所定値より大きくならず、最大の入力電流の制御及び最低入力電圧の制御の目的を達成する。昇圧回路１１の出力電圧がエネルギー蓄積素子１４１の出力電圧より小さくなるまで低下する時、放電回路１４３は、オンとなり、エネルギー蓄積素子１４１が放電を開始し、昇圧回路１１及びエネルギー蓄積素子１４１は、ピーク電流負荷特性を備える装置３０に対して共同で電流を出力することができ、ピーク電流負荷特性を備える装置３０のモータ３１を円滑に起動させることができ、同時に十分な出力電圧を提供し装置制御回路３２を駆動できるように確保し、ピーク電流負荷特性を備える装置３０を正常動作可能にさせる。電源変換回路１０の最大の入力電流を制御することによって、外部電源２０を保護することができ、外部電源２０が、出力電流が大き過ぎることにより過電流保護状態に入って電源供給を停止することを回避する。最低入力電圧を制限れば、装置制御回路３２（ピーク電流負荷特性を備える装置３０）が正常動作できるように更に確保することができる。
【００２９】
続いて、ピーク電流負荷特性を備える装置３０は、プログラムの起動から徐々に安定した運転に入り、モータ３１が必要な電流は、徐々に低下し、電源変換回路１０の入力電圧及び入力電流も徐々に制御回路１２の第１電圧所定値及び電流所定値から離れ、制御回路１２は、昇圧回路１１が元々所定の出力電圧値１２〜１２．６Ｖを回復する。この時、昇圧回路１１の出力電圧は、常態的にエネルギー蓄積素子１４１の電圧よりも大きくなり、放電回路１４３両端に逆バイアスを発生させ、放電回路１４３は、オンとならず、昇圧回路１１の出力電圧は、モータ３１に入力し、それを安定運転させ、同時に昇圧回路１１の出力電圧は、充電回路１４４によってエネルギー蓄積素子１４１に対して充電を行う。
【００３０】
図１Ｃ及び図１Ｄを参照し、図１Ｃが示すのは、スイッチング回路モジュール１３の細部構造図である。図１Ｄが示すのは、電源変換回路１０を、装置制御回路３２を備えないピーク電流負荷特性を備える装置３３に応用した説明図である。上記実施例中のピーク電流負荷特性を備える装置３０は、３．５インチのモバイルハードディスクであり、従って、装置制御回路３２を有し、ピーク電流負荷特性を備える装置３０に入力するエネルギーがモータ３１を駆動する時、装置制御回路３２は、モータ３１へのオン命令を取得して初めて電源変換回路１０から出力電流を放出する。しかしながら、各種のピーク電流負荷特性を備える装置３０が何れも装置制御回路３２を備えているわけではない。従って、電源変換回路１０は、更に、スイッチング回路モジュール１３を設け、スイッチング回路モジュール１３は、昇圧回路１１とピーク電流負荷特性を備える装置３３との間に接続し、スイッチング回路モジュール１３は、監視回路１３１と第２スイッチング素子１３２を含む。外部電源２０が出力する５Ｖの電圧によって、昇圧回路１１が昇圧した１２〜１２．６Ｖが一定時間必要となり、従って、監視回路１３１は、昇圧回路１１の出力端をセンシングし、昇圧回路１１が出力する電圧が第２電圧所定値に到達すれば、監視回路１３１は、信号を第２スイッチング素子１３２へ送り、第２スイッチング素子１３２をオンにし、十分な電圧を、ピーク電流負荷特性を備える装置３３に入力し、ピーク電流負荷特性を備える装置３３が円滑に起動することができる。また、監視回路１３１は、所定時間を設定する方式で第２スイッチング素子１３２を制御することもできる。例えば、昇圧回路１１が電圧を５Ｖから１２Ｖまで昇圧するのに２秒必要であれば、所定時間を２秒に設定し、即ち、監視回路１３１を外部電圧源が電源変換回路へ送り込まれることをセンシングした２秒後に信号を第２スイッチング素子１３２に発送し、第２スイッチング素子１３２をオンにさせるように設定する。
【００３１】
図２を参照し、図２が示すのは、本発明の第２実施例である。正常な状況において、電源変換回路１０は、５Ｖの外部電源２０に接続してピーク電流負荷特性を備える装置３０中の装置制御回路３２を起動することができる。しかしながら、幾つかの状況においては、モータ３１の起動に必要な電流が比較的大きく、外部電源２０は、昇圧回路１１を介してモータ３１を起動させるが、外部電源２０は、別途安定した５Ｖの電圧を出力する装置制御回路３２を駆動することはできず、ピーク電流負荷特性を備える装置３０を正常起動させることができない。従って、昇圧回路１１の出力端とピーク電流負荷特性を備える装置３０の装置制御回路３２との間に別途降圧回路１５を接続し、昇圧回路１１が出力する１２〜１２．６Ｖの電圧を降圧回路１５によって安定した５Ｖの電圧に降圧し、装置制御回路３２を起動可能にし、ピーク電流負荷特性を備える装置３０を正常運転可能にさせることができる。本実施例において、降圧回路１５の入力端は、昇圧回路１１とスイッチング回路モジュール１３との間に接続し、降圧回路１５の出力端は、ピーク電流負荷特性を備える装置３０の装置制御回路３２に接続する。但し、これに制限するものではなく、降圧回路１５的入力端をスイッチング回路モジュール１３とモータ３１との間に接続することもでき、言い換えれば、降圧回路１５の入力端は、昇圧回路１１とモータ３１との間の任意の位置に接続することができる。
【００３２】
図３Ａを参照し、図３Ａが示すのは、本発明の第３実施例である。幾つかの状況において、電源変換回路１０は、複数のピーク電流負荷特性を備える装置３０、例えば、３．５ハードディスクのディスクアレイＲＡＩＤに接続する必要がある。この時、スイッチング回路モジュール１３の出力端をそれぞれ独立したピーク電流負荷特性を備える装置３０に接続し、外部電源２０が出力する５Ｖもそれぞれ独立したピーク電流負荷特性を備える装置３０に接続することができる。このように、電源変換回路１０は、複数のピーク電流負荷特性を備える装置３０を駆動することができる。
【００３３】
図３Ｂを参照し、図３Ｂが示すのは、本発明の第４実施例である。第３実施例において、電源変換回路１０は、複数のピーク電流負荷特性を備える装置３０を同時に起動することができる。しかしながら、また、幾つかの特定状況において、複数のピーク電流負荷特性を備える装置３０は、異なる起動順序を有する必要があり得る。従って、本実施例において、各ピーク電流負荷特性を備える装置３０は、何れも１つの対応するスイッチング回路モジュール１３を有し、各スイッチング回路モジュール１３中の監視回路１３１を利用し、異なる時間を設定し、各ピーク電流負荷特性を備える装置３０に異なる起動時間をもたせ、複数のピーク電流負荷特性を備える装置３０を順に起動させることができる。
【００３４】
図３Ｃを参照し、図３Ｃが示すのは、本発明の第５実施例である。外部電源２０は、複数のピーク電流負荷特性を備える装置３０を起動する必要があり、外部電源２０が更に大きな負荷を受けなければならず、５Ｖの電圧を安定して出力し、複数の装置制御回路３２を駆動することができない可能性がある。従って、昇圧回路１１の後に降圧回路１５を接続し、降圧回路１５の出力端を複数のピーク電流負荷特性を備える装置３０に接続し、複数のピーク電流負荷特性を備える装置３０の装置制御回路３２が何れも安定した５Ｖの電圧を受けることができるようにする。このように、複数のピーク電流負荷特性を備える装置３０を正常起動させることができる。
【００３５】
上記第３実施例〜第５実施例は、本発明の電源変換回路１０の変化の範例であるが、これに限定するものではなく、当業者は、第３実施例〜第５実施例中の特徴を組み合わせ又は調整し、各種の異なる要求のピーク電流負荷特性を備える装置３０に対応させることができる。
【００３６】
また、上記各実施例において、ピーク電流負荷特性を備える装置３０は、３．５インチのモバイルハードディスクであるが、これに制限するものではなく、ピーク電流負荷特性を備える装置３０は、事務機、プリンタ又は外付け式光ディスク等であることもでき、ただ瞬間的に比較的大きなピーク電流を要する装置であれば、何れも本発明の電源変換回路１０を取り付けることができる。故に電源変換回路１０の駆動対象もモータに制限するものではなく、その他の対象、例えば、ＣＰＵ等の比較的大きなピーク電流を有する電子素子であることもできる。
【００３７】
本発明の電源変換回路１０は、外付け電源を必要としない状況において、ピーク電流負荷特性を備える装置３０を起動することができる。且つ、従来技術がバッテリを使用してピーク電流負荷特性を備える装置３０を起動し、従って、体積が比較的大きなバッテリを必要とすることに比較し、本発明のエネルギー蓄積素子１４１は、エネルギー出力を補助する１つの素子であり、大部分のエネルギーは、依然として外部電源２０より昇圧回路１１を経由して供給され、外部電源２０が昇圧不足の場合のみエネルギー蓄積素子１４１が放電する。従って、エネルギー蓄積素子１４１は、体積が比較的小さいバッテリ又はコンデンサを選択することができ、このように、電源変換回路１０全体のコストを低減することができる。
【００３８】
また、上記の全ての実施例において、電源変換回路は、何れも電流センサを含んでいるが、当業者は、電流センサを設置しないことを選択することもできる。図４を参照し、昇圧回路１１の入力端は、外部電源２０に直接接続する。
【００３９】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００４０】
１０    電源変換回路
１１    昇圧回路
１２    制御回路
１４    エネルギー補償モジュール
１４１    エネルギー蓄積素子
１４２    第１スイッチング素子
１４３    放電回路
１４４    充電回路
１３    スイッチング回路モジュール
１３１    監視回路
１３２    第２スイッチング素子
１５    降圧回路
３０，３０’，３３    ピーク電流負荷特性を備える装置
３１    モータ
３２    装置制御回路
【図１Ａ】
2016021857.tif 000003
【図１Ｂ】
2016021857.tif 000004
【図１Ｃ】
2016021857.tif 000005
【図１Ｄ】
2016021857.tif 000006
【図２】
2016021857.tif 000007
【図３Ａ】
2016021857.tif 000008
【図３Ｂ】
2016021857.tif 000009
【図３Ｃ】
2016021857.tif 000010
【図４】
2016021857.tif 000011